Podtech/llm-jp-corpus-v4-ja_patent huggingface dataset:
(57)【要約】      （修正有）【課題】柩本体内部底面に畳表層を形成し、且つ、誰もが容易に搬送又は移送可能な軽量性を備え、且つ、焼却処分の容易性を確保し得る畳を敷設した柩を開発・提供する。【解決手段】柩本体の内部底面に、該底面に適合する大きさで、天然の藁を糸で刺し固めた、やや薄板状の畳床に、天然の藺草で編んだ畳表を縫着した畳を敷設した事を特徴とするものである。畳は天然の藁や藺草を使用しているため燃焼性が良く、やや薄板状にしているため搬送性・移送性も良い。【選択図】図３
0003148890.tif 000002
【実用新案登録請求の範囲】
【請求項１】
柩（１）において、柩本体（１ａ）の内部底面に、該底面に適合する大きさで、天然の藁を糸で刺し固めた、やや薄板状の畳床に、天然の藺草で編んだ畳表を縫着した畳（２）を敷設した事を特徴とする柩。
【考案の詳細な説明】
【技術分野】
【０００１】
この考案は、畳を敷設した柩に関するものである。
【背景技術】
【０００２】
従来、亡くなった人の遺体、又は、死体を安置する柩は、比較的軽量の樹種の天然木板材、或いは、ベニヤ板等の合板材料により製造されているものが多い。又、近年において、環境保護の問題、或いは、天然木材の不足、又は、木材価格の高騰等の理由により、段ボール、又は、合成紙等の軽量な複合加工材料により、壁体及び蓋体を形成して成る柩が提案され、出願されている。
【０００３】
又、この種の柩は、亡くなった人の遺体を収容した状態で遺体焼却場等に移送され、遺体と一緒に焼却炉にて焼却処分されることから、誰もが容易に搬送できる柩本体の軽量性、或いは、短時間の焼却処分に適応可能な燃焼性等の各種条件に適合する必要がある。又、焼却炉において生成する排煙、煤塵、又は、臭気等による環境汚染、或いは、焼却温度の高温化に起因する焼却炉自体の損傷等に対する対策が、近年殊に重視されており、従って、柩を構成する板体及び柩の内装材料等の素材は、この種の多様な要求条件に適合し得る材質のものでなければならない。
【０００４】
これまでに出願されている特許文献を参考の為、紹介する（特許文献１参照）。
【特許文献１】特開平１１−０２２１６１
【考案の開示】
【考案が解決しようとする課題】
【０００５】
そこで、上記課題を解決する為に、この考案は柩本体内部底面に畳表層を形成し、且つ、誰もが容易に搬送又は移送可能な軽量性を備え、且つ、焼却処分の容易性を確保し得る畳を敷設した柩を開発・提供する事にある。
【課題を解決するための手段】
【０００６】
この課題を解決する為の手段として、柩本体の内部底面に、該底面に適合する大きさで、天然の藁を糸で刺し固めた、やや薄板状の畳床に、天然の藺草で編んだ畳表を縫着した畳を敷設した事を特徴とするものである。
【考案の効果】
【０００７】
この考案の効果として、柩本体の内部底面に、該底面に適合する大きさで、天然の藁を糸で刺し固めた、やや薄板状の畳床に、天然の藺草で編んだ畳表を縫着した畳を敷設した事で、柩本体内部底面に畳表層を形成すると共に、柩の必要条件である、誰もが容易に搬送又は移送可能な軽量性を備え、且つ、焼却処分の容易性を確保し得る等、極めて有益なる効果を奏するものである。
【考案を実施するための最良の形態】
【０００８】
この考案の最良の形態として、柩の必要条件を満たす為、畳の材質は燃焼性が良く、無公害な天然の藁や藺草を使用し、寸法形状は柩本体の底面の大きさに適合し、且つ、搬送性・移送性、燃焼性を考慮した、やや薄めに形成したものを使用する事が重要である。
【実施例１】
【０００９】
そこで、この考案の一実施例を図１〜図３に基づいて詳述すると、柩（１）において、柩本体（１ａ）の内部底面に、該底面に適合する大きさで、天然の藁を糸で刺し固めた、やや薄板状の畳床に、天然の藺草で編んだ畳表を縫着した畳（２）を敷設した事を特徴とする柩から構成される。
【００１０】
この考案の概要について説明すると、図１は本考案の一部欠截平面図で、収納性を考慮し、柩本体底面の大きさより若干小さめに形成した畳（２）を、柩本体（１ａ）底部に敷設したもので、前記畳（２）は焼却処分の容易性と搬送性・移送性を確保する為、通常の畳に比較し、約１／２程度の板厚を有し、且つ、材質は天然の藁や藺草を使用し、且つ、撥水処理加工を施して燃焼し易く、しかも軽量に仕上がるよう配慮されている。但し、畳周囲に縫着した畳縁（２ａ）については、必要に応じて設ければ良く、これに限定するものではない。
【００１１】
図２は図１のａ−ａ矢視断面図で、柩本体（１ａ）底面部の畳（２）の敷設状態を示したものである。
【００１２】
図３はこの考案の全体構成を示す斜視図である。
【００１３】
尚、上記事例は一般的に使用される標準的な柩本体（１ａ）に畳（２）を敷設したもので、特殊な材質・寸法形状の柩にも対応可能で、これに限定するものではない。
【産業上の利用可能性】
【００１４】
この考案の畳を敷設した柩は、柩本体内部底面に畳表層を形成し、且つ、誰もが容易に搬送又は移送可能な軽量性を備え、且つ、焼却処分の容易性を確保し得る為、多くの葬儀関係市場に寄与する為、産業上の利用可能性を有する。
【図面の簡単な説明】
【００１５】
【図１】この考案の一実施例を示し、平面図である。
【図２】この考案の一実施例を示し、図１のａ−ａ矢視断面図である。
【図３】この考案の一実施例を示し、畳の敷設及び上蓋の取付要領を示す斜視図である。
【符号の説明】
【００１６】
１  柩
１ａ  柩本体
１ｂ  上蓋
２  畳
２ａ  畳縁
【図１】
0003148890.tif 000003
【図２】
0003148890.tif 000004
【図３】
0003148890.tif 000005
(57)【要約】      （修正有）【課題】使用による摩擦を反復しても記入メッセージが消えたり、薄くなって判読に困難することが全く生じないシールを提供する。【解決手段】鉛筆，ボールペン等の筆記具，箸，印鑑などに巻き付けするシールの一側に人名などを含むメッセージの記入欄を設け、他側端部に該メッセージ記入欄を覆い保護する透明面を設けたことを特徴とする。【選択図】図２
0003148825.tif 000002
【実用新案登録請求の範囲】
【請求項１】
鉛筆，ボールペン等の筆記具に巻き付けするシールの一側に人名などを含むメッセージの記入欄を設け、他側端部に該メッセージ記入欄を覆い保護する透明面を設けたことを特徴とするメッセージ付きシール。
【請求項２】
メッセージ付きシールは自分箸，贈呈箸および印鑑に巻き付ける請求項１に記載のメッセージ付きシール。
【請求項３】
メッセージ付きシールは模様等の地色付きのときは地色を薄くして記入メッセージを見やすくする請求項１または２に記載のメッセージ付きシール。
【考案の詳細な説明】
【技術分野】
【０００１】
この考案はメッセージ付きシールに関するものである。
【背景技術】
【０００２】
この種の考案に実用新案登録第３１１８１１４号公報がある。該公報はシールを熱収縮する材料を用いて筒状に加工して筆記具等に差込み、加温収縮させて密着するようにしたことを記載している。
【特許文献１】実用新案登録第３１１８１１４号公報
【考案の開示】
【考案が解決しようとする課題】
【０００３】
しかしながら、シールを筒状に加工することと加温収縮には多くの手間と時間を要すという課題があり、しかも印刷面はむき出しのままなので、使用による摩擦の反複によって薄くなり消えてしまうという課題がある。
【課題を解決するための手段】
【０００４】
本考案は、鉛筆，ボールペン等の筆記具に巻き付けするシールの一側に人名などを含むメッセージの記入欄を設け、他側端部に該メッセージ記入欄を覆い保護する透明面を設けて構成して、かかる課題を解消するようにしたのである。
【考案の効果】
【０００５】
筆記具等に本考案のシールを巻き付けると、メッセージ記入欄に記入した個人名，会社名，電話番号，こんにちは、などのメッセージは重着する透明面によって覆われるため、使用による摩擦が反複しても記入メッセージが消えたり、薄くなって判読に困難することが全く生じないという効果を生ずる。
【０００６】
本考案のメッセージ付きシールは裏の接着面を用いて巻き付けるので、加温収縮に見られる多くの手間と時間を全く要しないという効果を生ずる。
【０００７】
自分箸，贈答箸，印鑑にも容易に巻き取付けすることができるという効果を生ずる。
【考案を実施するための最良の形態】
【０００８】
本考案は、鉛筆，ボールペン等の筆記具に巻き付けするシールの一側に人名などを含むメッセージの記入欄を設け、他側端部に該メッセージ記入欄を覆い保護する透明面を設けてメッセージ付きシールを形成するのである。
【実施例１】
【０００９】
図１乃至図３は第１実施例であって、裏を剥離紙付の接着面１ｂとするシール１ａの表面の一側に個人名，挨拶言葉，電話番号などを記入可能とするメッセージ記入欄２を設け、他側端部に記入欄２と同じ大きさにてなる透明面３を設けて構成し、このシール１ａをボールペン４の軸４ａに剥離紙を剥がしながら記入欄２から巻き付けるのである。巻き付けの終盤において透明面３が記入欄２上に重着して記入欄２を覆い、巻き付けが完了する。記入欄２には上記例などによるメッセージ２ａを記入し、これを透明面３にて被覆して保護するのである。記入メッセージ２ａは透明面３を透して表示されることとなる。
【００１０】
軸部４ａにシール１ａを巻き付けたボールペン４を持って筆記を反複しても記入欄２に記入したメッセージ２ａは透明面３の重着により覆われているため、摩擦の反複により薄くなったり消去することが全く生じないものとなる。
【００１１】
なお、シール１ａに地色模様を付すときは薄くして記入欄２のメッセージ２ａを鮮明にして読みやすくする。
【実施例２】
【００１２】
図４はシール１ａを（ａ）自分箸５、（ｂ）贈答箸，商取引箸６、（ｃ）印鑑７に巻き付けた例で、その構成と作用は前例と同じである。
【００１３】
本考案のメッセージ２ａ付きシールは、巻き付けするのみなので多用途において活用することができる。贈答用のボールペンなどに巻き付けることで、販売促進用としても活用することができる。
なお、シール１ａの表面に滑り止め加工を施すときは、ボールペン４，箸５，印鑑７を滑らなくして使いやすくすることができる。
太さの異なるボールペン４，箸５，印鑑７などに適合させるため、シール１ａを大小させることもある。
【産業上の利用可能性】
【００１４】
本考案は、シールのメッセージ記入欄を透明面にて覆って保護することで広く利用することができるものである。
【図面の簡単な説明】
【００１５】
【図１】メッセージ付きシールの１例を示す正面図
【図２】販売促進用として連絡先等のメッセージを記入した使用例、名前を記入した使用例を示す正面図
【図３】ボールペンに巻き取付けする状態を示す斜視図
【図４】（ａ）は自分箸に巻き付けた例、（ｂ）は贈答等の箸に巻き付けた例、（ｃ）は印鑑に巻き付けた例を示す斜視図である。
【符号の説明】
【００１６】
１ａはメッセージ付きシール
１ｂは接着面
２はメッセージ記入欄
３は透明面
４はボールペン
４ａは軸部
５は自分箸
６は贈答等の箸
７は印鑑
【図１】
0003148825.tif 000003
【図２】
0003148825.tif 000004
【図３】
0003148825.tif 000005
【図４】
0003148825.tif 000006
【手続補正書】
【提出日】平成20年12月18日(2008.12.18)
【手続補正１】
【補正対象書類名】実用新案登録請求の範囲
【補正対象項目名】全文
【補正方法】変更
【補正の内容】
【実用新案登録請求の範囲】
【請求項１】
鉛筆，ボールペン等の筆記具または自分箸，贈呈箸および印鑑に巻き付けするためのメッセージが記入できるシールであって、該シールの一側に人名などを含むメッセージの記入欄を設け、他側端部に該メッセージ記入欄を覆い保護する無色透明面を設けたことを特徴とするメッセージが記入できるシール。
【請求項２】
メッセージが記入できるシールは模様等の地色付きのときは地色を薄くして記入メッセージを見やすくする請求項１に記載のメッセージが記入できるシール。
【手続補正３】
【補正対象書類名】明細書
【補正対象項目名】０００８
【補正方法】変更
【補正の内容】
【０００８】
本考案は、鉛筆，ボールペン等の筆記具または自分箸，贈呈箸および印鑑に巻き付けするためのメッセージが記入できるシールであって、該シールの一側に人名などを含むメッセージの記入欄を設け、他側端部に該メッセージ記入欄を覆い保護する無色透明面を設けてメッセージが記入できるシールを形成するのである。
(57)【要約】      （修正有）【課題】ボタン電池の交換を容易にする補助器具を提供する。【解決手段】中空パイプ５の中に乾電池１４、配線７を収納する。中空パイプ５の先端部分にコイル式電磁石３を固定配置し、後端部にプッシュ式スイッチ８を固定配置する。プッシュ式スイッチ８のプッシュボタンを押して電磁石３を励磁し、先端の磁極２０にボタン電池を吸い付ける。プッシュ式スイッチ８のプッシュボタンを離すと電磁石３は消磁し、磁極２０からボタン電池が離れ、補聴器等の電子機器の意図した電池収納場所にボタン電池を収納する事が出来る。【選択図】図２
0003148830.tif 000002
【実用新案登録請求の範囲】
【請求項１】
把持部と、電池収納部と、電磁石と、操作スイッチを一体に具え、
前記操作スイッチをオン操作すると前記電池収納部に収納した電池から前記電磁石への給電が行われて当該電磁石の磁極はボタン電池を吸い付ける状態に励磁され、
前記操作スイッチをオフ操作すると前記電磁石への給電が停止されて前記磁極は吸い付けたボタン電池を離す状態に消磁される
ボタン電池交換補助器具。
【請求項２】
前記電池収納部は前記把持部内に配置され、前記電磁石および操作スイッチは前記把持部にそれぞれ搭載され、前記電磁石の磁極は前記把持部から露出して配置されている請求項１記載のボタン電池交換補助器具。
【請求項３】
前記磁極のボタン電池を吸い付ける箇所が面状に形成されている請求項１または２記載のボタン電池交換補助器具。
【請求項４】
前記電磁石が前記把持部の長手方向先端部に搭載され、前記磁極が最先端部に配置されている請求項１から３のいずれか１つに記載のボタン電池交換補助器具。
【請求項５】
前記操作スイッチが前記把持部の長手方向後端部に搭載されている請求項１から４のいずれか１つに記載のボタン電池交換補助器具。
【請求項６】
前記電磁石の磁極が前記把持部の長手方向先端部から突出して配置されている請求項１から５のいずれか１つに記載のボタン電池交換補助器具。
【請求項７】
前記把持部が中空パイプで構成され、当該中空パイプの内部空間が前記電池収納部を構成する請求項１から６のいずれか１つに記載のボタン電池交換補助器具。
【請求項８】
前記操作スイッチがプッシュボタンを押している間はオンし続け、離すとオフする形式のプッシュ式スイッチである請求項１から７のいずれか１つに記載のボタン電池交換補助器具。
【考案の詳細な説明】
【技術分野】
【０００１】本考案はボタン電池を磁力により吸い付け電子機器等の電池ケースに操作・収納するものである。
【背景技術】
【０００２】補聴器など医療機器の小型化により、その電源であるボタン電池も小型化と合わせて短寿命化も進んでいる。その一方で使用する者は高齢者や障害者の場合が多く、自分の指先で小型ボタン電池を上手くつまむ事が出来ずに電池交換もままならないのが実情である。
【考案の開示】
【考案が解決しようとする課題】
【０００３】電子機器や医療機器のボタン電池サイズは非常に小さいもので、素手で掴むことが困難な人でも、その交換を容易にする補助器具を考案した。
【課題を解決するための手段】
【０００４】本考案はスイッチ操作で電磁石を励磁、消磁することにより、ボタン電池を吸い付けたり離したりする事が出来る。吸い付けられたボタン電池は電磁石を励磁している間は落ちる事なく運ぶ事ができ、電子機器等の電池ケース上で電磁石を消磁する事によりボタン電池が離れ意図した場所に収納する事が出来る。
【考案の効果】
【０００５】高齢者や手先の不自由な人でもボタン電池を落とす事なく、容易に意図した場所にボタン電池を収納する事が出来る。
【考案を実施するための最良の形態】
【０００６】中空パイプの中に乾電池、配線を収納し、一方の先端部分にコイル式電磁石を埋め込み、もう一方の端にプッシュ式スイッチを埋め込むペン型の形状で、プッシュ式のスイッチを押している間は通電し電磁石の磁力が発生する。またスイッチを離すと磁力は消滅する。
【実施例】
【０００７】以下図面に従って一実施事例を説明する。くぎ（焼きなまし）１にエナメル線２を巻いたコイル式電磁石３を樹脂の蓋４に差し込んで固定し、この蓋４を、把持部を構成する中空パイプ５の先端にビニールテープ１８等で固定する。中空パイプ５の中に電池用スリーブ６、電池１４、配線７を収納する。回路は図３に示すとおりである。中空パイプ６の後端にプッシュ式スイッチ８（プッシュボタンを押している間はオンし続け、離すとオフする形式の機械式スイッチ）を取り付けた樹脂の蓋９をビニールテープ１９等で固定する。
以下使い方について説明する。中空パイプ５を手で握って親指でプッシュ式スイッチ８を押す。プッシュ式スイッチ８を押している間はくぎ１の先端部の平面状の磁極２０に磁力が発生しボタン電池１５を吸い付け運ぶ事ができる（図４のａの状態）。プッシュ式スイッチ８を離す事により磁力がなくなり吸い付けたボタン電池１５がくぎ１の磁極２０から離れて、補聴器等の電子機器１６の電池収納部１７にボタン電池１５を落とし込んで収納する事ができる（図４のｂの状態）。【０００８】１０は電池の＋（プラス）極の接点部品、１２は−（マイナス）極の接点でバネ圧により電池への接触圧力を高めるものである。１１は＋極の接点１０からの電流をくぎ１に流さないための絶縁プラスチックであり、１３はバネ４がプッシュ式スイッチ８の配線部に当たらない様にするための受け皿（厚紙）である。電池用スリーブ６はパイプ５と電池１４の隙間を埋める緩衝材である。ボタン電池１５の＋極と−極がくぎ１を通して短絡するのを防止するために、くぎ１の先端部を塗料等の絶縁材でコーティングすることもできる。またプッシュ式スイッチ８は、中空パイプ５の後端部に搭載するのに代えて、中空パイプ５の先端部付近の側面に搭載することもできる。この場合は中空パイプ５を筆記具状に持って人差し指でプッシュ式スイッチ８を操作することができる。
【図面の簡単な説明】
【０００９】
【図１】本考案のボタン電池交換補助器具の実施例を示す側面図である。
【図２】図１の電池交換補助器具の分解図である。
【図３】図１の電池交換補助器具の電気回路図である。
【図４】図１の電池交換補助器具の使用方法を示す図である。
【符号の説明】
【００１０】１  くぎ（焼きなまし）
２  エナメル線
３  コイル式電磁石
４  樹脂の蓋
５  中空パイプ（把持部）、
６  電池用スリーブ
７  配線
８  プッシュ式スイッチ
９  樹脂の蓋
１０  ＋（プラス）極接点
１１  絶縁プラスチック
１２  −（マイナス）極バネ
１３  バネ受け皿
１４  単４乾電池
１５  ボタン電池
１６  電子機器等
１７  電池収納部
１８，１９  ビニールテープ
２０  磁極
【図１】
0003148830.tif 000003
【図２】
0003148830.tif 000004
【図３】
0003148830.tif 000005
【図４】
0003148830.tif 000006
(57)【要約】      （修正有）【課題】浴用洗剤類を容器本体洗剤類注入口部に溜め置き、使用時に出し易い状態にしておくことができる蓋上部円型台座ワンタッチ開閉キャップを提供する。【解決手段】ポンプ式容器のシャンプー、コンディショナー、ボディウォッシュなどの洗剤類を、ポンプが機能しにくくなり出にくくなった時の不便を解消し使用できるようにするために、キャップ蓋上面が容器本体を支える円型台座になっているワンタッチ開閉キャップに付け替えることによって容器本体を逆さまに設置しておけるようにし、浴用洗剤類を容器本体洗剤類注入口部に溜め置き使用時に出し易くする。【選択図】図１
0003148829.tif 000002
【実用新案登録請求の範囲】
【請求項１】
使用していくうちに吸い上げにくくなってしまうポンプ式シャンプー、コンディショナー、ボディウォッシュなどの浴用洗剤類のポンプ付キャップを取り外し、キャップ蓋上面が円型台座になっているワンタッチ開閉キャップに付け替え、円形台座で支え容器本体を逆さまに設置しておけるようにすることで浴用洗剤類を容器本体洗剤類注入口部に溜め置き、使用時出し易い状態にしておくことができることを特徴とする浴用洗剤類の容器本体を逆さまに設置するための蓋上部円型台座ワンタッチ開閉キャップ
【考案の詳細な説明】
【技術分野】
【０００１】  ポンプ式キャップで使用する容器の洗剤類を最後まで使い易くするために、ポンプ付キャップをはずしキャップ蓋上面が容器本体を支える円型台座になっているワンタッチ開閉キャップに付け替えることによって容器本体を逆さまに設置し、浴用洗剤類を容器本体洗剤類注入口部に溜め置き、使用時出し易い状態にする。
【技術背景】
【０００２】  ポンプ式キャップで使用する容器のシャンプー、コンディショナー、ボディウォッシュなどの洗剤類は、ワンプッシュで非常に使い易いが、残量が少なくなってくると、ポンプ付キャップをはずし逆さまにして振り出さないと出てこないため、非常に不便を感じていた。
【考案の開示】
【考案が解決しようとする課題】  ポンプ式キャップで使用する容器のシャンプー、コンディショナー、ボディウォッシュなどの洗剤類のポンプが機能しにくくなり出しにくくなった時の不便を解消し使用できるようにするために、キャップ蓋上面が容器本体を支える円型台座になっているワンタッチ開閉キャップに付け替えることによって容器本体を逆さまに設置して容器本体洗剤類注入口部に溜め置けるようにする。
【課題を解決するための手段】
【０００３】  キャップ蓋上面が容器本体を支える円型台座になっているワンタッチ開閉キャップに付け替えても、使用時のキャップの開閉に支障がないよう円型台座の大きさに配慮しなければならない。
【考案の効果】
【０００４】
【０００５】  ポンプが機能しにくくなり出しにくくなってきた時に、キャップ蓋上面が容器本体を支える円型台座になっているワンタッチ開閉キャップに付け替えることによって、その都度ポンプ式キャップをはずし使用する必要がなくなり、容器を逆さまに設置し容器本体洗剤類注入口部に溜め置けるので、洗剤類を使い切って詰め替えることが容易になる。
【考案を実施するための最良の形態】
【０００６】  キャップ蓋上面が容器本体を支える円型台座になっているワンタッチ開閉キャップに付け替え容器本体を逆さまに設置しておけるようにし、安定性のある台座の大きさを確保しつつ、不都合なく洗剤類を使い切ることができるようにする。
【実施例】
【０００７】  ポンプ式キャップ３をはずし、キャップ蓋１ａ上面が容器本体２を支える円型台座になっているワンタッチ開閉キャップ１ａ１ｂに付け替え容器本体２を逆さまに設置しておけるようにする。【０００８】  容器本体２を逆さまに設置しておけるようにするために安定性のあるキャップ蓋１ａ台座の大きさを確保しつつ、使用時邪魔にならないようにする。
【図面の簡単な説明】
【０００９】
【図１】本考案の蓋上部円型台座ワンタッチ開閉キャップの一実施例を示す設置時側面図である。
【図２】本考案の蓋上部円型台座ワンタッチ開閉キャップの一実施例を示す使用時側面図である。
【図３】本考案の蓋上部円型台座ワンタッチ開閉キャップの交換図である。
【図４】本考案の蓋上部円型台座ワンタッチ開閉キャップの上面図である。
【符号の説明】
【００１０】１ａ    キャップ蓋（台座）
１ｂ    キャップ
２      容器本体
３      ポンプ式キャップ
【図１】
0003148829.tif 000003
【図２】
0003148829.tif 000004
【図３】
0003148829.tif 000005
【図４】
0003148829.tif 000006
(57)【要約】      （修正有）【課題】流体と機能性物質との接触機会をより多くしてしかも目詰まりしにくい流体活性用装置を提供する。【解決手段】片側に流体流入口１Ａ、他側に流体流出口１Ｂを有する収納容器１内に、機能性素材からなる多数の短尺パイプ体２を収納する。流体活性用装置内に収められている短尺パイプ体２には筒抜けの空洞が貫通形成されているから、それが数多く詰まっていても流体はその通路が十分に確保され、しかも機能性素材からなる当該パイプ体２との接触面積をより多くすることもできる。従って流体中に混在する浮遊物などによって目詰まりする度合いも少なく、より長期にわたって安定的にその機能を発揮させ得るという効果がある。【選択図】図１
0003148821.tif 000002
【実用新案登録請求の範囲】
【請求項１】
片側に流体流入口、他側に流体流出口を有する収納容器内に、機能性素材からなる多数の短尺パイプ体を収納したことを特徴とする流体活性用装置。
【考案の詳細な説明】
【技術分野】
【０００１】この考案は、様々な気体や液体などの流体を活性化ないし改質させるための流体活性用装置に関する。
【背景技術】
【０００２】水、油、或いは空気などの流体をより望ましいものに改質させるために、例えばその通路に強力な磁場や電場を与えるものがある。また各種のカートリッジ類を取付けて有害物を除去するなどの方法も常套手段として広く採用されている。
【考案の開示】
【考案が解決しようとする課題】
【０００３】上記のようにカートリッジ類を流体の通路に設ける場合、流体の改質につながる機能性物質をその内部に収容するのが通例である。例えば活性炭、遠赤外線セラミックス、放射性材料、磁石、或いは近年発見された新規の機能性材料等があるが、これらの機能性物質は一般に粉末状、粒状、玉状、短棒状、或いは賽子状などの形状を呈しているものが使われており、往々にして目詰まりを起こし易かったり流体との接触が不十分になりがちであるなどの問題点があった。本考案はかかる問題点を解消して、流体と機能性物質との接触機会をより多くしてしかも目詰まりしにくい流体活性用装置を提供することを課題とする。
【課題を解決するための手段】
【０００４】片側に流体流入口１Ａ、他側に流体流出口１Ｂを有する収納容器１内に、機能性素材からなる多数の短尺パイプ体２を収納して、流体の通路に取り付ける本考案の流体活性用装置とする。【０００５】上記の短尺パイプ体２とは、収納容器１内に多数収納するに相応しい寸法となるものであり、ここでいう「多数」とは常識的に３個以上、好ましくは１０個以上を指す。また「短尺」の意味も、パイプの外径と長さとの比率が常識的に５：１〜１：１０、好ましくは１：１〜１：２程度となる。【０００６】短尺パイプ体２は、図面に例示したような円筒体が好ましいが、必ずしもこれに限るものではなく、楕円筒体、角筒体、その他適宜デフォルメされたものであっても良い。【０００７】短尺パイプ体２の材質は、水や空気などの流体の改質につながるものであれば、ここでは全て「機能性素材」とみなされる。各種セラミックス、石類、金属類、木材類、或いはプラスチックス等が挙げられるが、製造上は押出成形法で得られる長尺パイフ体を短く切断して量産することが望ましい。
【考案の効果】
【０００８】
【０００９】本考案の流体活性用装置内に収められている短尺パイプ体２には文字通り筒抜けの空洞が貫通形成されているから、それが数多く詰まっていても流体はその通路が十分に確保され、しかも機能性素材からなる当該パイプ体２との接触面積をより多くすることもできる。従って流体中に混在する浮遊物などによって目詰まりする度合いも少なく、より長期にわたって安定的にその機能を発揮させ得るという効果がある。
【考案を実施するための最良の形態】
【００１０】本考案者のノウハウに基づく配合のセラミックス材料を外径１２ｍｍ、内径７ｍｍの管状に押出成形しつつ長さ１５ｍｍに分断して焼結し、短尺パイプ体２とする。これを約１００個収容するに足る密閉状の収納容器１の両端には、その中に流体を通すホース３を接続する流体流入口１Ａと流体流出口１Ｂを設ける。【００１１】上記のような試作品を用いてその中を通した空気で灯油の燃焼状態を観察したところ、単なる空気と比較して明らかに炎が活発化し、排煙や臭いも減少した。【００１２】同じく灯油を当該試作品の中に通し、普通の空気中で燃焼させた場合でも、普通の灯油より燃焼状態が明らかに改善した。【００１３】更に水道水を当該試作品の中に通したところ、カルキ臭の消失と同時に水の浸透力が増大し、食品等の味覚向上や鮮度保持につながるような水質向上効果が認められたばかりか、水耕栽培における病原菌が著しく抑制され、しかも甚だ目詰まりしにくく長期にわたって効果を持続できることが確認された。
【産業上の利用可能性】
【００１４】本考案の流体活性用装置は広範な流体に対してその流れを阻害する度合いが少ない割には表面接触機会が多くて効果が大かつ持続性があり、ニーズが高くて量産も容易であるから、産業上の利用可能性は十分にある。
【図面の簡単な説明】
【００１５】
【図１】本考案一例の断面図
【図２】本考案に用いる短尺パイプ体一例の見取図
【符号の説明】
【００１６】１……収納容器      １Ａ……流体流入口      １Ｂ……流体流出口
２……短尺パイプ体
３……ホース
【図１】
0003148821.tif 000003
【図２】
0003148821.tif 000004
(57)【要約】      （修正有）【課題】従来の自転車の走行性能を維持しながら、重い荷物や幼児を載せた場合でも安全で快適な走行が可能な前輪巾可変自転車を提供する。【解決の手段】自転車本体１の前輪部には左右並列に設けられた２輪と、後輪とからなる自転車であって、前記２輪の各々は独立した左右のフォーク３に装着され、該各フォークの上部に設けられたフォークピン１５を支点に、前記２輪の接地部間距離が可変可能であることを特徴とする自転車である。【選択図】図２
0003148822.tif 000002
【実用新案登録請求の範囲】
【請求項１】
自転車本体の前輪部には左右並列に設けられた２輪と後輪とからなる自転車であって、前記２輪の各々は独立した左右のフォークに装着され、該各フォークの上部に設けられた回転軸を支点に、前記２輪の接地部間距離が可変可能であることを特徴とする自転車。
【請求項２】
前記左右のフォークは、前記回転軸を両端に設けたフォーク本体により連結され、該フォーク本体の中心部には、ハンドル軸が固定貫通されかつ、該ハンドル軸の下方部に摺動し得るスライドカラーと該スライドカラーの左右から、前記左右の各フォークに連結され前記フォークの開閉角度を変えるリンクを設けたことを特徴とする請求項１記載の自転車。
【考案の詳細な説明】
【技術分野】
【０００１】  本考案は前輪巾可変可能な自転車に関するものである。
【背景技術】
【０００２】  従来より自転車は２人乗りの場合とか、又は重い荷物を乗せた場合はかなり不安定な乗り物であるが、最近は３人乗りは禁止されているようですが、大人１人で幼児２人を前と後ろに乗せて保育園に通うお母さん方がよく見受けますが、非常に危険性を感じています。そこで通常は普通自転車と同等の手軽さで取り扱いが可能で、重い荷物又は、幼児を載せた場合のみ３輪自転車に変身出来るような自転車の出現が望まれている。本考案により自転車の転倒率が低くなり快適な日々を送ることが出来るでしょう。
【考案の開示】
【考案が解決しようとする課題】
【０００３】  従来の自転車は走行性能が良く狭い道路巾の場合でも、又少々の段差でも快適で手軽な乗り物であると考えられるが、重い荷物や幼児を載せた場合は、逆に不安定で非常に危険な乗り物に変化してしまいます。そこで従来の自転車の走行性能を維持しながら、重い荷物や幼児を載せた場合でも安全で快適な走行が可能な前輪巾可変輪自転車で解決しようとするものである。
【課題を解決するための手段】
【０００４】  自転車本体の前輪部には左右並列に設けられた２輪と後輪とからなる自転車であって、前記２輪の各々は独立した左右のフォークに装着され、該各フォークの上部に設けられた回転軸を支点に、前記２輪の接地部間距離が可変可能であることを特徴とする自転車。
【考案の効果】
【０００５】  通常は前輪の２輪巾を狭くし普通自転車と同等の取扱いが可能にし、重い荷物又は、幼児を載せた場合のみ、前輪の２輪巾を最大接地部間にに広げ、車体の転倒を最大限に防止する装置を設けたことにより、特に３人乗りされているお母さん方には非常に役立つ。
【考案を実施するための最良の形態】
【０００６】  操作棒の上下運動の簡単な操作のみで前輪巾最小接地部間と前輪巾最大接地部間に選択が可能なこと。又各接地部間の選択時には、安全、確実、に固定出来ること。
前輪巾最小接地部間時での走行は、サスペンションの性能等により、ローリング性も良く従来の自転車と、ほとんど変わらないと考えられる。
【実施例】
【０００７】  以下、添付図面に従って一実施例を説明する。図１は本考案に係る自転車の正面図で、図２は側面図である。（１）自転車本体、（２）フォーク本体は自転車ハンドル軸に固定装着されている。この（２）フォーク本体の両側に各々（３）フォークを（１５）フォークピンにより装着する。【０００８】  図３、図４は本考案部の詳細図である。（３）フォークの先端部に（８）サスペンションを（９）サスペンション軸により装着する。（８）サスペンションの前部に（７）前車輪を（１０）前車輪軸により装着する。（９）サスペンションの後部に（５）引張りバネを設け、（５）引張りバネの上部は、（４）フォーク側フック下部側は、（６）サスペンション側フックにより装着する。【０００９】  図５はねじ込み固定部の詳細図で，図６は操作棒部の詳細図である。（１８）ハンドル軸に（１１）スライドカラーを装着し（１７）エンドプレートを設ける。（１１）スライドカラーと（３）フォーク間に各々（１３）リンクを（１２）スライドカラーピンと（１４）フォーク位置決めピンで連結する。（１１）スライドカラーに（１６）操作棒を設ける。（１６）操作棒の操作により（１１）スライドカラーの上下運動は容易になり、定位置で（１８）ハンドル軸に、ねじ込み固定が可能となる。
【図面の簡単な説明】
【００１０】
【図１】  自転車全体を示す正面図である。
【図２】  前車輪接地部の状態を示す全体側面図である。
【図３】  本考案部の詳細図である。
【図４】  本考案部の詳細図である。
【図５】  ねじ込み固定部の詳細図である。
【図６】  操作棒部の詳細図である。
【符号の説明】
【００１１】  １  自転車本体
２  フオーク本体
３  フオーク
４  フオーク側フック
５  引張りバネ
６  サスペンション側フック
７  前車輪
８  サスペンション
９  サスペンション軸
１０  前車輪軸
１１  スライドカラー
１２  スライドカラーピン
１３  リンク
１４  フオーク位置決めピン
１５  フオークピン
１６  操作棒
１７  エンドプレート
１８  ハンドル軸
【図１】
0003148822.tif 000003
【図２】
0003148822.tif 000004
【図３】
0003148822.tif 000005
【図４】
0003148822.tif 000006
【図５】
0003148822.tif 000007
【図６】
0003148822.tif 000008
(57)【要約】      （修正有）【課題】収納スペースの無駄を省き、取り出しの利便性を高めるとともに貴金属類収納ケースのまま携帯し持ち出すことができるようにした貴金属類ブック型縦置き収納ケースを提供する。【解決手段】貴金属等が収納ケースの中でずれたり動いたりしないよう固定できるようにするため、収納ケース両内側に、蓋側は枠同高の厚みで箱側は枠高より厚みのあるスポンジ材を詰め、スポンジ材は厚みと低反発による弾力性のあるものを厳選し、貴金属類の形状によりスポンジ材に作り出される凹凸によって貴金属が収納ケースの中でずれたり動いたりしないよう固定し破損を防ぐことによって貴金属類収納ケースを縦置きで収納することが可能となり、収納スペースの無駄を省き取り出しの利便性を高めるとともに貴金属類収納ケースのまま持ち運ぶこともできるようにする。【選択図】図１
0003148828.tif 000002
【実用新案登録請求の範囲】
【請求項１】
貴金属類の収納ケースを縦置きで収納するために、収納ケース両内側スポンジ材を蓋側は枠同高の厚みのスポンジ材にし箱側には枠高より厚みのあるスポンジ材を詰め複数または単数の貴金属類を箱側スポンジ材の上に乗せ蓋側を被せ貴金属類の形状によりスポンジ材で作り出される凹凸で貴金属類をピッタリと包み込み、貴金属類が収納ケースの中で動いたりずれたりしないように固定することによって破損を防ぎ、縦置きにすることで収納スペースの無駄を省き取り出しの利便性を高めるとともに収納ケースのまま携帯し持ち運ぶことができるようにしたことを特徴とする貴金属類ブック型縦置き収納ケース。
【考案の詳細な説明】
【技術分野】
【０００１】  ブック型縦置き収納ケースで、蓋側と箱側の収納両内側に詰めるスポンジ材を蓋側は枠同高の厚みのスポンジ材を詰め箱側には枠高より厚みのあるものを詰め低反発で弾力性のあるスポンジ素材にすることでスポンジ材に乗せた複数または単数の貴金属類を形状によりスポンジ材に作り出される凹凸でピッタリと包み込み、収納した貴金属類を両面から挟み押さえ動かないように固定できるようにする。
【技術背景】
【０００２】  貴金属類収納ケースは、平置き収納のものやインテリア収納などが主流だが、平置きのものは、引き出しの中や棚でも場所を取り、ケースの数が増えれば重ねて収納しなければならない。また、インテリア収納の場合は、ネックレスなどを回転式のフックなどに引っ掛けるものもあり、物質が繊細なものが多いので、細かい手作業が生じることは日常的にはとても面倒で常に整然と整理整頓しておくことが困難で取り出しも手際よくできないというところに問題を感じていた。
【考案の開示】
【考案が解決しようとする課題】
【０００３】  ブック型蓋付収納ケースで縦置き収納することを可能とし、また収納ケースのまま携帯して持ち運ぶことができるようにするため、収納ケースの中で貴金属類がずれたり動いたりせず固定できるようにしなければならない。
【課題を解決するための手段】
【０００４】  貴金属類が収納ケースの中でずれたり動いたりしないよう固定されるようにするために、スポンジ材の厚みと低反発による弾力性のあるものを厳選する必要がある。貴金属類の形状によりスポンジ材に作り出される凹凸で包み込むことができれば収納ケースの中でずれたり動いたりせず固定し破損を防ぎ、収納ケースを縦置きで収納することが可能となり収納スペースの無駄を省き取り出しの利便性を高めるとともに収納ケースのまま携帯して持ち運ぶことができるようになる。
【考案の効果】
【０００５】  スポンジ材は厚みと低反発による弾力性のあるものを厳選することによって、スポンジ材に乗せた貴金属類の形状によりスポンジ材に作り出された凹凸で貴金属類が収納ケースの中で動いたりずれたりせず固定し破損を防ぎ、収納ケースを縦置きで収納することが可能となり、収納スペースの無駄を省き取り出しの利便性を高めるとともに、イヤリング、ネックレス、ピアス、ブローチ等の種類別収納ではなく、使用用途に応じたイヤリングとネックレス、ピアスとブローチと指輪といった組み合わせでの収納もしやすく、探す手間を軽減するとともに、収納ケースごと携帯して持ち運ぶことも容易となる。
【考案を実施するための最良の形態】
【０００６】  貴金属類収納ケースをブック型縦置きで収納することによって収納スペースを省き、収納ケースのまま携帯して持ち運ぶこともできるようにするために、蓋側は枠同高で箱側は枠より厚みを持たせスポンジ材は厚みと低反発による弾力性のあるものを厳選し、貴金属類の形状によりスポンジ材に作り出された凹凸で複数または単数の貴金属類が動いたりずれたりしないように固定し破損を防ぐことができる収納ケースで留め具をかけ収納ケースが開かない状態にする。
【実施例】
【０００７】  蓋と箱を丁番５でつなぎ構成した収納ケース箱側１ｂの枠より厚みのあるスポンジ材２ｂの上に複数または単数の貴金属類４をはみ出したり重なったりしないよう適当に並べ、枠同高のスポンジ材２ａ入りの蓋側１ａを箱側１ｂに被せ、留め具３ａを３ｂにかけ収納ケース１ａ１ｂを閉じ、スポンジ材２ａ２ｂで貴金属類４が動いたりずれたりしないように固定し、収納スペースを省き取り出しの利便性を高め収納ケース１ａ１ｂを縦置きで収納することができる。【０００８】  貴金属類収納ケース１ａ１ｂとスポンジ材２ａ２ｂには仕切りがないので貴金属類の収納数や種類を限定せず収納することが可能で、複数または単数の貴金属類４が重ならないように並べ蓋側１ａを箱側１ｂに被せ留め具（掛け具）３ａを留め具（受け具）３ｂにかけ収納ケース１ａ１ｂに収納し、手軽に持ち出すことができ旅行などにも便利である。
【図面の簡単な説明】
【０００９】
【図１】本考案の貴金属類ブック型縦置き収納ケースの一実施例を示す開時側面図である。
【図２】本考案の貴金属類ブック型縦置き収納ケースの一実施例を示す開時上面図である。
【図３】本考案の貴金属類ブック型縦置き収納ケースの閉時収納立体図である。
【符号の説明】
【００１０】１ａ  収納ケース  蓋側
１ｂ  収納ケース  箱側
２ａ  スポンジ材  蓋側
２ｂ  スポンジ材  箱側
３ａ  留め具  掛け具
３ｂ  留め具  受け具
４    貴金属類（例）
５    丁番
【図１】
0003148828.tif 000003
【図２】
0003148828.tif 000004
【図３】
0003148828.tif 000005
(57)【要約】      （修正有）【課題】小さな虫の侵入を防ぐ網戸を提供する。【解決手段】網戸振動機を網戸に取り付けることによって、網戸に虫がとまってもすぐに飛び去る構造にしている。先ず、一度、網の目にとまり、然る後に、羽根をたたんでから、入ってくることに注目して、羽根をたたむ間の数秒以内に振動を与えることによって、飛び去るようにした。【選択図】図１
0003148831.tif 000002
【実用新案登録請求の範囲】
【請求項１】
網戸に振動を与えるための振動機を設けることにより、虫の侵入を防ぐことを特徴とした網戸振動機。
【考案の詳細な説明】
【技術分野】
【０００１】  本考案は、防虫用網戸に取り付ける振動機に関する。
【背景技術】
【０００２】  従来の網戸では、小さな虫の侵入は、防ぐことは出来ない。【０００３】  なぜならば、飛んできた虫は、一度、網戸の網の目にとまり、羽根をたたんで網の目から入ってくるからである。
【考案が解決しようとする課題】
【０００４】  この従来技術においては、飛んできた虫が、先ず、一度、網の目にとまり、然る後に、羽根をたたんでから、網の目から入ってくることに注目して、網の目にとまらせないか、とまってもすぐに飛び去るようにすれば良いと考えるに至った。
【課題を解決するための手段】
【０００５】  課題を解決するための手段として、本考案による網戸振動機を網戸に取り付けることによって、網戸に虫がとまってもすぐに飛び去る構造にしている。
【０００６】  本考案は、このような従来技術の欠点に着目してなされたものであって、その目的とするところは、先ず、一度、網の目にとまり、然る後に、羽根をたたんでから、入ってくることに注目して、羽根をたたむ間の数秒以内に振動を与えることによって、飛び去るようした。
【０００７】本考案の防虫用網戸に取り付ける振動機は、例えば携帯電話に使用されているものと同等のバイブレーターとそれを駆動する電池から構成されており、網戸の中央部または周辺部に取り付け可能とした。
【考案の効果】
【０００８】  本考案の防虫用網戸に取り付ける振動機は、網戸の中央部または周辺部に取り付けることによって、虫の侵入を防ぐことが出来た。
【考案を実施するための最良の形態】
【０００９】  図１に示すように網戸に網戸振動機を取り付けるのが最良の実施形態である。
【実施例】
【００１０】  「請求項１」の実施形態の例として、図１に示すように網戸に振動を与えるための振動機を設けることにより、虫の侵入を防ぐことを特徴とした網戸である。
【産業上の利用可能性】
【００１１】  本考案の目的は、上記の課題を解消して、しかも低コストで実現できる網戸振動機を提供することである。したがって、産業上で広く利用できる場面を有している。
【図面の簡単な説明】
【００１２】
【図１】本考案の防虫用網戸振動機を取り付けた網戸の正面図である。
【符号の説明】
【００１３】１  網戸本体
２  電池式振動機
【図１】
0003148831.tif 000003
(57)【要約】      （修正有）【課題】かかって来た着信を逃がさず、衣服によってはポケットがない場合もあるので、容易に携帯できる携帯電話を提供する。【解決手段】腕時計のように、腕に取り付けて携帯するために、できるだけ極薄に造り、腕に密着するよう湾曲形状に作られている。腕に付けることにより振動告知にしておけば、着信を逃がすことはない。音出し告知は殆ど必要がなくなる。ポケット等が無くても容易に携帯できる。【選択図】図１ｂ
0003148839.tif 000002
【実用新案登録請求の範囲】
【請求項１】
腕に付けて使用できるように湾曲させて作られた極薄の携帯電話
【考案の詳細な説明】
【技術分野】
【０００１】本考案は、現状の携帯電話をより便利にするため、湾曲した形状につくり、腕時計のように、腕に取り付けて使用するように工夫された極薄の携帯電話に関する。
【背景技術】
【０００２】現在ある携帯電話には幾つかの不便さを感ずる面がある。
例えば、その携帯性において、ポケットに入れておくと振動告知に気がつかなかったり、作業中にポケットから落ちで水没したり（ストラップなる器具があるが、完全ではない。）
また、音出し告知にしていると、騒音で聞こえなかったり、逆に他人に迷惑をかけたりする事もある。
【考案の開示】
【考案が解決しようとする課題】
【０００３】かかって来た着信を逃がさないこと。
衣服によってはポケットがない場合もあるから、容易に携帯できること。
【課題を解決するための手段】
【０００４】本考案では、現存する腕時計のように腕に取り付けて使用できるように、携帯電話を極薄かつ湾曲形状に作ることにより、腕への密着性を図る。
【考案の効果】
【０００５】腕に付けることにより振動告知にしておけば、着信を逃がすことはない。
音出し告知は殆ど必要がなくなる。
ポケット等が無くても容易に携帯できる。
携帯電話には通常、時刻表示が備わっているので、腕時計が不要となる。
極薄に作られているので、軽くて、気にならない。
【実施例】
【０００６】以下、添付図面に従って実施例を説明する。
なお、この携帯の腕への取り付け方法は、皮や金属で作られたバンドで止めたりブレスレットのように装飾性を重視した金具で止めたりと、種々、考えられるので本考案の要旨とは別の事と見做し、その点は拘泥しない。
【図面の簡単な説明】
【図１ａ】装着状態で、極薄携帯の蓋にあたる部分が閉じた状態の見取り図。
【図１ｂ】装着状態で、蓋を開け、その裏側に仕込まれたディスプレイを見たりボタン操作をしたり等使用中の状態の見取り図である。
【図１ａ】
0003148839.tif 000003
【図１ｂ】
0003148839.tif 000004
(57)【要約】      （修正有）【課題】イヤホンとホルダーとリード線が一体化されているイヤホンホルダーで、イヤホーンが故障したとき、イヤホーンまたはホルダーのみを交換できるピンジャック付きイヤホンホルダーを提供する。【解決手段】ピンジャック付きイヤホーンは、主として、ホルダー２、ホルダー２の内部で保持されるリード線１、ホルダーからのリード線出口１ａ、ピンコネクター３、ピンプラグ４、イヤホーン６、イヤホーン６内部に設置されているピンプラグ接続用バネ５で構成する。上記のように、コード側をピンプラグ、イヤホーン側にピンジャックを配する事で、不良イヤホーンを簡単に交換できるようになる。 【選択図】図２
0003148812.tif 000002
【実用新案登録請求の範囲】
【請求項１】
携帯電話、トランシーバーなどに使用する、イヤホーンの耳からの脱落防止用ホルダーで、リード線が一体化され入るホルダーでイヤホーンのみが故障したとき、リード線もホルダーも廃棄することになる。イヤホーンのみを交換出来るよう、リード線とイヤホーンを接続をピンコネクターで接続する、ピンコネクター付イヤホーンホルダー
（１）
【考案の詳細な説明】
【技術分野】
【０００１】
本考案は携帯電話、トランシーバー用イヤホーンホルダー
【背景技術】
【０００２】
携帯電話、トランシーバー用イヤホーンホルダー。
【考案の開示】
【考案が解決しようとする課題】
【０００３】
本考案は携帯電話、トランシーバー用イヤホーンホルダーのリード線一体化のイヤホーンホルダーで。イヤホーンが不良に時、全部廃棄しないでイヤホーンのみを廃棄することを課題とする。
【課題を解決するための手段】
【０００４】
本考案は携帯電話、トランシーバー用、前記のイヤホーンホルダーのでイヤホーンが不良の時、ピンコネクターで簡単に交換出ことで、解決しようとする課題する。
【考案の効果】
【０００５】
上述のように本考案はコード側をピンプラグ、イヤホーン側をピンジャクにすることで、不良イヤーホンを簡単に交換できたので、考案の効果があった。
【考案を実施するための最良の形態】
【０００６】
上述のように本考案はコード側をピンプラグ、イヤホーン側をピンジャクにすることで、不良イヤーホンを簡単に交換することで、実施するための最良の形態とする。
【実施例】
【０００７】
図面に従って、以下添付実施例を説明する、１はリード線で、ホルダーの内部で保持されている、１aはホルダーからのリード線出口で、携帯電話、トランシーバー用のイヤー本の出力に接続される、２はホルダーで、リード線を内部に入れることでイヤホーンが直接引っ張られることがなく、脱落しにくいホルダーである、３は本考案のピンコネクターホルダー
【０００８】
４はピンプラグ、５はイヤホーンの内部に設置されている、ピンプラグ接続用バネ、６はイヤホーンで、前述のイヤホーンで内部に設置されている、ピンプラグ接続用バネを有するイヤホーン、７は耳栓
【図面の簡単な説明】
【０００９】
ピンジャク付イヤホーンホルダー
【図１】ピンジャク付イヤホーンホルダーの正面図
【図２】ピンジャク付イヤホーンホルダーの一部断面裏面図
【図３】ピンジャク付イヤホーンホルダーの一部断面下側面図
【図４】ピンジャク付イヤホーンホルダーの上側面図
【符号の説明】
【００１０】
１    リード線
２    イヤホーンホルダー
３    本考案のピンプラグコネクター
４    本考案のピンプラグ
５    本考案のピンプラグ接続用バネ
６    本考案のピンプラグ接続用バネ付イヤホーン
７    耳栓
【図１】
0003148812.tif 000003
【図２】
0003148812.tif 000004
【図３】
0003148812.tif 000005
【図４】
0003148812.tif 000006
【手続補正書】
【提出日】平成20年12月16日(2008.12.16)
【手続補正１】
【補正対象書類名】実用新案登録請求の範囲
【補正対象項目名】全文
【補正方法】変更
【補正の内容】
【実用新案登録請求の範囲】
【請求項１】
携帯電話、トランシーバーなどに使用する、イヤホーンの耳からの脱落防止用ホルダーで、イヤホーンのみを交換出来るよう、リード線とイヤホーンとの接続をピンコネクターで接続する、ピンコネクター付イヤホーンホルダー。